(57)【要約】      （修正有）【課題】目的の違うそれぞれのメガネを目的ごとの場所に置くことができるシンプルなメガネスタンドを提供する。             【解決手段】メガネスタンドにおいて、硬質素材を使用し、台座部１３と台座部１３から立ち上がる柱部１１、その柱部１１から延びるメガネの掛け軸１２の受け部に折り畳んだメガネを縦方向の状態でメガネフレーム２１とヨロイ２３の間を通した。このメガネスタンドは、軽量かつシンプルな上、今や様々な目的にあったメガネを使用場所に使わない時のメガネの置場所となり、いつでもメガネを使えるという安心感が湧く。【選択図】図１
0003185756.tif 000002
【実用新案登録請求の範囲】
【請求項１】
折り畳んだメガネを縦方向の状態で吊り下げることを特徴とするメガネスタンド。
【請求項２】
硬質素材を使用して、台座部と台座部から立ち上がる柱部、その柱部より延びるメガネの掛け軸に折り畳んだメガネを縦方向の状態で吊り上げられることを特徴とするメガネスタンド。
【請求項３】
また、硬質素材を使用して台座部と台座部から立ち上がる複数の支柱を持ち、支柱よりそれぞれメガネの掛け軸を持ち、複数の折り畳んだメガネをそれぞれの掛け軸に吊り下げられることを特徴とするメガネスタンド。
【請求項４】
また、硬質素材を使用して、台座部と台座部から立ち上がる柱部、その柱部上部にて複数に枝分かれしたメガネの掛け軸を持ち、複数の折り畳んだメガネをそれぞれの掛け軸に吊り上げられることを特徴とするメガネスタンド。
【考案の詳細な説明】
【技術分野】
【０００１】
本考案は、メガネの置き場所として使用するスタンドに関する。
【背景技術】
【０００２】
従来、メガネ収納物として蓋付のケースタイプやレザー、木、プラスチックなどを使用したペンスタンド様式で内側を柔らかな素材で覆ったスタンドタイプの物がある。
【考案の概要】
【考案が解決しようとする課題】
【０００３】
従来、メガネは、視力矯正を目的とした度付メガネと強い日光から目を守るためのサングラスが主流であった。
【０００４】
近年は、パソコンやタブレット端末機から目を守るPCメガネや花粉症用メガネと云った専用メガネが販売され、メガネの重要性は高くなっている。
【０００５】
また別の視点では、メガネやコンタクトレンズも度無しメガネやカラーコンタクトで個性を表現する手段としてアイウェアの名称でファッションアイテムに位置づけられて、カラフルでスタイルも多様なものがたくさん販売されている。
【０００６】
価格面においては、国内のみならず海外生産により低価格化が進み、展開店舗は多くなり、気軽に楽しむことが出来る。
【０００７】
前記したとおり、今やメガネは一人１つではなくなり、目的に応じて数種類のメガネを保持出来るようになったが、手軽にメガネを置ける、例えば洋服のハンガーのようなものがない。従来のメガネケースやスタンドは、引き出しの中に仕舞うことに重点を置いたモノであり、デスクやリビングといった一部の机上品の感が否めないとい観念があり、メガネ同様にカジュアルに色んな場所に置けるスタンドがないという問題があった。
【０００８】
本考案は、前記した問題点に鑑みて、目的に応じて使用するメガネやファッション用メガネの定位置をシンプルに提案し、リビングやデスク、ベッドサイド、エントランス、洗面所などでも安心して置けるスタンドを提供することを目的とする。
【課題を解決するための手段】
【０００９】
前記目的を達成するために、本考案にかかるメガネスタンドは、メガネを畳んで縦方向にした状態で上部のリムとテンプルの隙間に本考案にかかるメガネスタンドの軸を通して吊り下げる構造である。
【００１０】
よって、台座は安定感が必要な低重心設計の形状とし、メガネを立てた状態より長い高さの柱を持ち、柱の上部には、メガネを掛ける軸を設ける構造とする。
【００１１】
また、複数のメガネを掛けるように台座より複数の支柱を立て、中心部より各方向へ曲げて掛け軸を設ける構造も好ましい。
【００１２】
また、台座より柱を立ち上げ上部で枝部を設けて吊り下げ軸を作り、複数のメガネを吊り下げられる構造も好ましい。
【００１３】
メガネを吊り下げる本考案のメガネスタンドの上部のメガネを掛ける掛け軸には、、メガネをキズから守り、また揺れを軽減するためにシリコンなどの弾力系テープやコーティング加工を施す事が好ましい。
【００１４】
本考案に使用する素材は、メガネの負荷に耐えられるものであれば金属やプラスチック、木、紙、その他如何様のものであれ使用することが出来る。
【００１５】
また、台座の裏には、滑り止め用ゴムなどを使用してメガネスタンドの安定を図ることが好ましい。
【００１６】
台座の上面には、小物入れのためのトレーに加工したり、レザーなどを敷いて万一のメガネ落下防止用クッションや装飾を施すこともインテリア感覚で好ましい。
【考案の効果】
【００１７】
本願考案のメガネスタンドは、軽量かつシンプルで、PCメガネや花粉症用メガネ、また普通のメガネについてもPCデスク、外出時に着用するためエントランス、ベッドサイドや洗面所と色んな場所に置くことが出来、メガネの置き場所を忘れたりすることがなくなる。またメガネを外して置く場所の確定により、メガネを掛ける時の安心感を持つことができる。
【００１８】
また、幾つもメガネを保有している人は、複数掛けのメガネスタンドを使用することで毎日の取替えや収納といった行為を本願考案のメガネスタンド１つで行うことが出来る。
【図面の簡単な説明】
【００１９】
【図１】本考案にかかるメガネスタンドの使用状態の左向き斜視図である。
【図２】前記メガネスタンドの使用状態の左側面図である。
【図３】前記メガネスタンドの実施の形態の左向き斜視図である。
【図４】前記メガネスタンドの正面図である。
【図５】前記メガネスタンドの背面図である。
【図６】前記メガネスタンドの側面図である。
【図７】前記メガネスタンドのもう片方の側面図である。
【図８】前記メガネスタンドの平面図である。
【図９】前記メガネスタンドの底面図である。
【図１０】前記メガネスタンドの使用状態の異形の斜視図である
【考案を実施するための形態】
【００２０】
以下に、図面を参照しながら本考案の実施形態について詳細に説明する。
【００２１】
図１は、本考案のメガネスタンドの使用状態を表す斜視図である。メガネ２を折り畳んだ状態で本考案のメガネスタンド１の掛け軸１２にメガネ２のフレーム２１とヨロイ２３を繋ぐ部分に差込んで掛ける構造である。本考案のメガネスタンド１は、台座１３と台座１３から伸びる柱１１と柱１１から台座方向へ伸びる掛け軸１２で
構成されている。
【００２２】
なお、台座１３はメガネスタンド１としての機能を保つ役割として低重心設計を基本とし、台座１３より伸びる柱１１は、掛けるメガネ２より高くするためにこの斜視図左よりの加圧により右へ倒れないように台座１３方向へ少し傾斜している。また掛け軸１２は、メガネ２を掛ける状態の時の安定感を考えて台座１３と掛け軸１２の関係は、台座１３のほぼ中心点に掛け軸１２に掛けたメガネの中心が来るように設計している。
【００２３】
図２は、前記メガネスタンドの使用状態の左側面図である。図２で示すように本考案のメガネスタンド１の掛け軸１２に畳んだメガネ２のフレーム２１とヨロイ２３の間のところで掛けている状態を示している。また、図２では、本考案のメガネスタンド１とメガネ２の関係を左向きの状態で表している。右向きとして使用する場合は、この逆になる。メガネスタンド１の台座１３の下に現れている３は、滑り止め用合成ゴムである。
【００２４】
図３は、前記メガネスタンドの実施の形態の左向き斜視図である。本考案のメガネスタンド１の１１が示す柱は、インパクトを求めた装飾としてメガネのカタチを表現しているが、柱１１の形状はシンプルにメガネの負荷に耐えられる形状であれば如何様な形状でもよい。つまりカタカナのコの形状もしくは台座１３の中心より柱１１を設けたカタカナのユの形状のようにメガネを吊り下げる機能を持つ形状を意味するメガネスタンドである。メガネスタンド１の掛け軸１２には、メガネを掛けた時に動かないように一段下げたポイント１４を施している。また１４のポイントには、メガネを傷つけないようにシリコンなどのクッション材を敷いている。
【００２５】
図４は、前記メガネスタンドの正面図である。本考案のメガネスタンド１は、(００２１)で説明してように台座１３と台座１３から伸びる柱１１および柱１１上部より台座１３の方向へ曲がって突き出る掛け軸１２で構成されている。よって、本考案のメガネスタンド１は、左右での使用が出来るため、それぞれの側面が逆になる。また、メガネを掛けた時の負荷および安定性を考慮して台座１３の方向へａ度傾斜している。ただし、(００２１)で述べたように柱１１をシンプルな形状にして細くした場合は、メガネを吊り下げた時の安定に関係なく、柱１１を台座１３の方向へａ度、曲げる必要な無く、直角でも何ら影響はない。また、台座１３の上に示す５は、装飾およびメガネ落下の時のクッションとしてレザーなど別素材を貼ることも出来る。メガネスタンド１の掛け軸１２に示す４は、(００２１)で説明したシリコン材等を表している。
【００２６】
図５は、前記メガネスタンドの背面図である。本考案のメガネスタンド１は、左右の使用が可能なため背面図も左右で表している。
【００２７】
図６は、前記メガネスタンドの側面図である。本考案のメガネスタンド１の台座１３より立ち上がっている柱１１を正面に見た側面図である。したがって、柱１１から延びる掛け軸１２は背面にある。また台座１３の下に敷いている３は、安定を図るための滑り止め用合成ゴムである。また台座１３の上にある５は、（００２２）で説明した装飾およびクッション用の素材である。
【００２８】
図７は、メガネスタンドのもう片方の側面図である。本考案のメガネスタンド１の柱１１より延びる掛け軸１２およびメガネを掛けた時に動かないように一段下げた箇所１４を表している。
【００２９】
図８は、メガネスタンドの平面図である。本考案のメガネスタンド１の台座１３から立ち上がる１１は、メガネを１４の位置に掛けた時の安定性を考慮して台座１３の方へ傾斜している。
【００３０】
図９は、メガネスタンドの底面図である。本考案のメガネスタンド１の台座１３の裏面に滑り止め用合成ゴム３を敷いた状態を示す。
【００３１】
図１０は、メガネスタンドの使用状態の異形の斜視図である。本考案のメガネスタンド１の形状違いのメガネスタンドである。上記で説明した台座１３より立ち上がる柱１１、および柱から延びるメガネ２を掛ける掛け軸１２の構成で、本考案で謳っている折り畳んだメガネを縦方向の状態で吊り下げるメガネスタンドの構成要素である台座と台座から立ち上がる柱および掛け軸を充たしたデザイン違いの本考案のメガネスタンドを示している。
【産業上の利用可能性】
【００３２】
前記したように一人数個のメガネ保有により、メガネをつける場所、外す場所が家の中でもおおくなり、それに対応できるシンプルかつ軽量なメガネスタンドの提案は、消費者として置く場所に困っていたメガネの定位置を見つけることで何気ないストレスの解消と同時に目を守るという行為そのものを促進する弾みになると考えます。今まで花粉症やPC作業中の目の疲れにも自分の気に入ったシンプルなメガネスタンドがあれば楽しくメガネの使用が可能になり、使わない時には、スタンドに掛けて置くだけでいつでもまたメガネを使おうという安心感が湧くと考えられます。
【００３３】
メガネの多様化により、メガネスタンドの利用価値もあがり、無くてはならないものとなり、製造の分野でも需要を生み出すことと確信する。
【符号の説明】
【００３４】
１メガネスタンド
２メガネ
３滑り止め用合成ゴム
４シリコン
５装飾およびクッション素材
１１柱部
１２掛け軸部
１３台座部
１４メガネ受け部
２１フレーム
２２テンプル
２３ヨロイ
【図１】
0003185756.tif 000003
【図２】
0003185756.tif 000004
【図３】
0003185756.tif 000005
【図４】
0003185756.tif 000006
【図５】
0003185756.tif 000007
【図６】
0003185756.tif 000008
【図７】
0003185756.tif 000009
【図８】
0003185756.tif 000010
【図９】
0003185756.tif 000011
【図１０】
0003185756.tif 000012
【手続補正書】
【提出日】平成25年5月28日(2013.5.28)
【手続補正１】
【補正対象書類名】実用新案登録請求の範囲
【補正対象項目名】全文
【補正方法】変更
【補正の内容】
【実用新案登録請求の範囲】
【請求項１】
硬質素材を使用して、台座部と台座部から立ち上がる柱部、その柱部より延びるメガネの掛け軸に折り畳んだメガネを縦方向の状態で吊り下げることを特徴とするメガネスタンド。
【請求項２】
硬質素材を使用して台座部と台座部から立ち上がる複数の支柱を持ち、支柱よりそれぞれメガネの掛け軸を持ち、複数の折り畳んだメガネをそれぞれの掛け軸に吊り下げられることを特徴とするメガネスタンド。
【請求項３】
硬質素材を使用して、台座部と台座部から立ち上がる柱部、その柱部上部にて複数に枝分かれしたメガネの掛け軸を持ち、複数の折り畳んだメガネをそれぞれの掛け軸に吊り下げられることを特徴とするメガネスタンド。